(57)【要約】      （修正有）【課題】絶縁シートに付着した足跡等の微物を粘着シート等に正確に移し替えることができる採取シート材を提供する。【解決手段】採取シート材のシート本体Ｓは、絶縁シート３と、この絶縁シート３に重ね合わせられる可撓性を有する導電シート４とで構成され、上記導電シート４は、絶縁シート３の必要帯電エリアと同じ大きさを保っている。採取シート材を収納する装置は、ケースＣ内に、シート本体Ｓを巻き取る巻取りローラーＲが備えられている。そして、ケースＣから引き出されたシート本体Ｓは、絶縁シート３を下側にし、導電シート４を上側に保つように巻取りローラーＲに巻き取られる。【選択図】図１
2018077121.tif 000002
【特許請求の範囲】
【請求項１】
シート本体は、
絶縁シートと、
上記絶縁シートに重ね合わせられる可撓性を有する導電シートとで構成され、
上記導電シートは、絶縁シートの必要帯電エリアと同じ大きさにされた採取シート材。
【請求項２】
上記導電シートが、ゴム等のクッション材からなる請求項１に記載の採取シート材。
【請求項３】
ケースと、
上記ケースに組み込まれるとともに、請求項１に記載されたシート本体が繰り出し可能に巻き取られる巻取りローラーと、
上記巻取りローラーに巻き取られた上記シート本体をケース外に引き出すための引出し口と、が備えられ、
上記シート本体は、当該シート本体が上記引出し口から引き出されたとき、上記絶縁シートが導電シートに対して下側位置を保つように上記巻取りローラーに巻き取られたシート材の収納装置。
【請求項４】
上記ケース内であって、上記シート本体が上記巻取りローラーから引出し口に導かれる過程で、上記絶縁シートに接触して上記絶縁シートの微物付着面を拭き取るクリーニング部材が設けられた請求項３に記載のシート材の収納装置。
【発明の詳細な説明】
【技術分野】
【０００１】
この発明は、犯罪現場などで足跡等の微物を採取する採取シート材及びその採取シート材の収納装置に関する。
【背景技術】
【０００２】
この種の足跡等の微物を採取する採取シート材は、０．２ｍｍ程度の非常に薄いシートが用いられている。その主な理由は、路面などの微物採取面にある足跡等の微物による微妙な凹凸に、採取シート材が追従できなければ、それら足跡等の微物を採取できなくなるからである。
言い換えれば、この種の採取シート材は、ある程度の丈夫さが保たれれば、薄ければ薄いほど、機能性が高まることになる。
【０００３】
上記のようにした採取シート材は、次のようにして用いられる。
先ず、採取シート材を事前に帯電させておく。そして、帯電された採取シート材を路面等の微物採取面に接触させ、その静電気の作用で足跡等の微物を当該採取シート材に付着させる。
【０００４】
採取シート材に足跡等の微物を付着させたら、現場で、採取シート材を裏返して微物付着面を上に向け、その上から粘着力を保持した粘着シートを押し付けて、当該シートに微物を移し替える。そして、この粘着シートを現場から持ち帰って微物を分析する資料として用いる。
【先行技術文献】
【特許文献】
【０００５】
【特許文献１】特開２０１６−７５６２７号公報
【発明の概要】
【発明が解決しようとする課題】
【０００６】
上記のようにした従来の採取シート材では、そのシート材に付着した微物を、粘着シートに移し替えるとき、その粘着シートを採取シート材に強く押し付ける。しかし、採取シート材が非常に薄いので、この採取シート材に粘着シートを押し付けたとき、路面等の微物採取面側の微妙な凹凸が影響して正確な移し替えができないという問題があった。
【０００７】
この発明の目的は、路面等の微物採取面側の凹凸に関係なく、正確な移し替えができる採取シート材及びそのシート材の収納装置を提供することである。
【課題を解決するための手段】
【０００８】
第１の発明は、シート本体が、絶縁シートと、上記絶縁シートに重ね合わせられる可撓性を有する導電シートとで構成されている。しかも、この導電シートは、絶縁シートの必要帯電エリアと同じ大きさに保たれている。ただし、導電シートであって、その引出し方向に直交する方向の幅寸法は、絶縁シートの幅方向において、導電シートがはみ出さない寸法を維持していれば、その寸法は特に限定されない。
【０００９】
そして、使用過程では、導電シートに対して絶縁シートを下にして、当該絶縁シートで路面等の微物採取面を覆うとともに、導電シートに高電圧を印加して静電気を誘起させる。
絶縁シートに静電気が誘起されれば、その静電気の付着力で、絶縁シートに微物が付着する。
絶縁シートに微物を付着させたら、シート本体を裏返して、絶縁シートを上にし、導電シートを下にして、導電シートを路面等の微物採取面側に向けて接触させる。
【００１０】
上記のようにシート本体を裏返して、導電シートを路面等の微物採取面側に向けたら、絶縁シートに粘着シートを押し付けて、上記足跡等の微物を粘着シートに移し替える。
このとき上記微物採取面側と絶縁シートとの間に導電シートが介在するので、路面等の微物採取面側の微妙な凹凸の影響を受けずに正確な移し替えが可能になる。
【００１１】
第２の発明は、上記導電シートが、ゴム等のクッション材からなる。
導電シートが上記のようにゴム等のクッション材からなるので、路面等の微物採取面側の微妙な凹凸を吸収でき、絶縁シートから粘着シートへの移し替えが正確にできるようになる。
【００１２】
第３の発明は、ケースには、シート本体が繰り出し可能に巻き取られる巻取りローラーと、上記巻取りローラーに巻き取られた上記シート本体を引き出すための引出し口とが備えられている。
そして、上記巻取りローラーに巻き取られたシート本体は、それを引出し口から引き出したとき、導電シートに対して絶縁シートが下側に位置し、絶縁シートを路面等の微物採取面に接触させることができる。
【００１３】
第４の発明は、上記ケース内であって、上記シート本体が上記巻取りローラーから引出し口に導かれる過程で、上記絶縁シートに接触して上記絶縁シートの微物付着面を拭き取るクリーニング部材が設けられている。
したがって、シート本体を引出し口から引き出せば、絶縁シートが自動的にクリーニングされることになる。
【発明の効果】
【００１４】
この発明の採取シート材によれば、絶縁シートに付着した足跡等の微物を粘着シートに移し替えるとき、路面等の微物採取面側にある凹凸などの影響を受けずに、正確な移し替えが可能になる。
【００１５】
また、この発明のシート材の収納装置によれば、ケースからシート本体を引き出せば、絶縁シートが路面等の微物採取面を覆うとともに、絶縁シートを微物採取面に自動的に接触させることができる。
【図面の簡単な説明】
【００１６】
【図１】シート材の収納装置の断面図である。
【図２】図１のＩＩ―II線断面図で、巻取りローラーを省略した図である。
【図３】絶縁シートを路面等の微物採取面側に接触させた状態のシート本体の拡大断面図である。
【図４】図３のＩＶ―ＩＶ線の拡大断面図である。
【図５】ケースからシート本体を引き出した状態の説明図である。
【図６】図５のＶＩ―ＶＩ線の拡大断面図である。
【発明を実施するための形態】
【００１７】
図１，２に示した第２の発明である採取シート材の収納装置は、ケースＣに巻取りローラーＲを設けているが、この巻取りローラーＲは、ケースＣの底面に固定した一対の支持片１間に回転軸２を回転可能に掛け渡している。
上記のようにしたローラーＲにはシート本体Ｓを巻き付けるが、この巻取りローラーＲは、シート本体Ｓを引き出した任意の位置で引っ張り力を解除すれば、その位置で停止する。また、その停止位置から一瞬引っ張ってからその引っ張り力を解除すれば、シート本体Ｓを自動的に巻き取ることができるようにしている。
【００１８】
上記シート本体Ｓは、図３，４に示すように、電気的に絶縁体である厚さ０．２ｍｍ程度の絶縁シート３と、この絶縁シート３に重ね合わせる厚さ１ｍｍ程度の導電シート４とで構成されている。
そして、上記導電シート４は、合成ゴム等のクッション材からなるとともに、導電材料を練り込んだもので、絶縁シート３が必要とする帯電エリアに相当する面積を備えている。
【００１９】
ただし、導電シート４であって、その引出し方向に直交する方向の幅寸法は、絶縁シート３の幅方向において、導電シート４がはみ出さない寸法を維持していれば、その寸法は特に限定されない。
さらに、上記導電シート４は、その引出し方向最後尾を、接着剤を介して絶縁シート３に接着している。
なお、絶縁シート３は、導電シート４の上記最後尾よりもさらに長さを保持させている。
【００２０】
なお、図中符号５はシート本体Ｓの先端に設けた引出し棒、６はこの引出し棒５に設けた引出し用の摘まみである。
そして、上記ケースＣには引出し口７を形成し、巻取りローラーＲに巻き取られたシート本体Ｓをこの引出し口７から引き出すことができるようにしている。
【００２１】
さらに、ケースＣ内であって、上記巻取りローラーＲに巻き付けたシート本体Ｓが引出し口７に導かれる過程には、シート本体Ｓの絶縁シート３の微物付着面に接触する不織布等からなるクリーニング部材８、このクリーニング部材８よりも、シート本体Ｓの引出し方向下流にブラシ９を設けている。
【００２２】
そして、上記クリーニング部材８及びブラシ９のそれぞれは、ケースＣ内の設けたトレー１０に設けられている。
上記トレー１０は、ケースＣにおいて、シート本体Ｓの引出し方向にスライド可能に設けているが、その具体的な構成は次のとおりである。
【００２３】
すなわち、上記トレー１０の両側には、図２に示すように、シート本体Ｓの引出し方向に延びるスライド片１１が設けられ、このスライド片１１が、ケースＣの底面に設けた一対のレール１２に沿ってスライドできるようにしている。
上記のようにしたトレー１０に対してスライド可能にしたトレー１１は、それをケースＣの奥まで押し込んだとき、トレー１０の押し込み方向先端が、図１に示すように上記支持片１に突き当たってそれ以上押し込めないようにしている。
【００２４】
また、トレー１０が上記のように支持片１に突き当たった状態では、トレー１０の押し込み方向とは反対側の端部が弾性的に突出するボール１３に接触し、トレー１０が不用意に移動しないようにしている。
【００２５】
さらに、上記のようにしたトレー１０内には、その幅方向両側に支持プレート１４を設け、この支持プレート１４に支持軸１５を掛け渡して固定している。そして、この支持軸１５に上記クリーニング部材８を取り外し可能に巻き付けている。
また、トレー１０内には、上記ブラシ９を設けているが、このブラシ９は上記クリーニング部材８の高さよりも少し低くしている。
【００２６】
上記のようにケースＣに収納されたシート本体Ｓを図３に示すように引き出すときには、シート本体Ｓの絶縁シート３がクリーニング部材８に接触しながら引き出されて、絶縁シート３が自動的にクリーニングされる。
【００２７】
そして、シート本体Ｓが図３に示すように引き出されたときには、絶縁シート３が、図４に示すように導電シート４に対して下側位置を保ち、絶縁シート３の微物付着面が路面等の微物採取面１６に接触する。
上記の状態から導電シート４に高電圧を印加すると、絶縁シート３に静電気が誘起され、この静電気の付着力で、上記路面等の微物採取面１６にある足跡等の微物が採取される。
【００２８】
そして、絶縁シート３に足跡等の微物を付着させたら、シート本体Ｓを、図５に示すように、ケースＣを境にして反転させ、図６に示すように、導電シート４を微物採取面１６側に接触させ、絶縁シート３をこの導電シート４の上側に位置させる。
このように導電シート４を微物採取面１６側に接触させた状態で、絶縁シート３に図示していない粘着シートを押し付け、絶縁シート３に付着した足跡等の微物を上記粘着シートに移し替える。
【００２９】
上記のように絶縁シート３に付着した足跡等の微物を、上記粘着シートに移し替えるときには、粘着シートを絶縁シート３に強い力で押し付けるが、このとき、導電シート４が、図６に示すように、絶縁シート３と路面等の微物採取面１６側との間に介在するので、微物採取面１６側の凹凸に影響されずに、絶縁シート３に付着した足跡等の微物を、上記粘着シートに正確に移し替えることができる。
特に、導電シート４をゴム等のクッション材で構成して路面等の微物採取面１６の凹凸を吸収できるので、その凹凸が上記移し替えに影響を及ぼさない。
【００３０】
一方、上記のような足跡等の微物の採取が終了したら、巻取りローラーＲにその巻取り力を利用してシート本体Ｓを巻き取らせるが、このとき巻き取られるシート本体Ｓの絶縁シート３の微物採取面がブラシ９で拭き取られる。また、この絶縁シート３はクリーニング部材８によって拭き取られるとともに、そのときの異物もトレーに落とされる。
【００３１】
上記のようにしてトレー１０に異物が落とされてそこに溜まったら、トレー１０を引出し口７方向に引き出せば、ケース１０は上記ボール１３を強制的に押し込んでスライドし、ケースＣの外に取り出すことができる。
したがって、トレー１０に溜まった異物を除去できる。このようにトレー１０に溜まった異物を除去できるので、異なった犯罪現場で再使用するときに、上記異物が足跡等の微物採取に影響を及ぼさない。
【００３２】
なお、図中符号１７は、ケースＣの外側底面に接着したアース用金属板である。
【産業上の利用可能性】
【００３３】
犯罪現場における足跡を採取するのに最適である。
【符号の説明】
【００３４】
Ｃ…ケース、Ｒ…巻取りローラー、Ｓ…シート本体、３…絶縁シート、４…導電シート、７…引出し口、８…クリーニング部材、１６…微物採取面
【図１】
2018077121.tif 000003
【図２】
2018077121.tif 000004
【図３】
2018077121.tif 000005
【図４】
2018077121.tif 000006
【図５】
2018077121.tif 000007
【図６】
2018077121.tif 000008